(57)【要約】      （修正有）【課題】自動的に温度を下げるカップを提供する。【解決手段】自動的に温度を下げるカップは、主体１０と台座２０を含み、前記台座の中には保存チャンバ１６が設置され、前記保存チャンバの前と後と右側が開くように設置され、前記保存チャンバの底壁には二組の第一凹溝が設置され、前記第一凹溝の中には温度下げ機構が設置され、前記主体の頂端には蓋５５が設置され、前記蓋と前記固定ボード２２とが固定され、前記蓋の中には第二凹溝５６が設置され、前記第二凹溝の中には放熱を加速する扇風機機構が設置され、モーターの作動を制御して、第一羽根を第一回転軸によって回転させて風を吹かし、それにより水の熱量の発散を加速する。【選択図】図１
2020179094.tif 000002
【特許請求の範囲】
【請求項１】
自動的に温度を下げるカップであって、主体と台座を含み、前記台座の中には保存チャンバが設置され、前記保存チャンバの前と後と右側が開くように設置され、前記保存チャンバの底壁には二組の第一凹溝が設置され、前記第一凹溝の中には温度下げ機構が設置され、前記第一凹溝の底部の前記台座の中には第一チャンバが設置され、二組の前記第一チャンバの間には第二チャンバが設置され、左側の前記第一チャンバの左側には第三チャンバが設置され、前記保存チャンバの頂壁の中にはベルトチャンバが設置され、前記ベルトチャンバの中にはベルト機構が設置され、前記主体の中には中間チャンバが設置され、前記中間チャンバの中には内カップが固定的に設置され、前記内カップの外周にはヒートシンクが固定的に設置され、前記中間チャンバの内壁には第一抜き穴が設置され、前記第一抜き穴が中間チャンバと外部とを連通し、前記第一抜き穴が放熱速度を上げられ、前記中間チャンバの底壁には二組の第二抜き穴が設置され、前記第二抜き穴と前記第一凹溝とが相対に設置され、前記内カップの中には貯水チャンバが設置され、前記主体の右端には固定ブロックが固定的に設置され、前記固定ブロックには固定ボードがヒンジで連結され、前記主体の頂端には蓋が設置され、前記蓋と前記固定ボードとが固定され、前記蓋の中には第二凹溝が設置され、前記第二凹溝の中には放熱を加速する扇風機機構が設置されることを特徴とする自動的に温度を下げるカップ。
【請求項２】
前記温度下げ機構は前記第一凹溝と前記第一チャンバとの間に回転できるように設置される第一回転軸を含み、前記第一回転軸の頂端には第一羽根が固定的に設置され、左側に位置する前記第一回転軸の底端と左側の前記第一チャンバの底端の中に固定的に嵌っているモーターとが伝動できるように連結され、前記第一回転軸の外周には第一傘歯車が固定的に設置され、二組の前記第一チャンバの間には第二回転軸が回転できるように設置され、前記モーターの一端には前記第一傘歯車と噛合して設置される第二傘歯車が固定的に設置され、前記第二回転軸の外周には第三傘歯車が固定的に設置され、前記第二チャンバの頂壁の中には第一スプライン軸が回転できるように設置され、前記第一スプライン軸の底端には前記第三傘歯車と噛合して設置される第四傘歯車が固定的に設置され、前記貯水チャンバの底壁の中には第一スプラインスリーブが回転できるように設置され、前記第一スプラインスリーブの頂端には回転盤が固定的に設置され、前記回転盤の頂部端面には水の回転を加速する突起が設置され、前記第一スプラインスリーブと前記第一スプライン軸とはスプラインによって係合して連結されることができる；モーターを始動して回転させるのによって、第一回転軸を回転させ、それにより第一傘歯車が第二傘歯車を回転連動させ、それにより第二傘歯車がモーターを回転連動させ、第三傘歯車が第一スプライン軸を回転連動させ、それにより第一スプラインスリーブが回転盤を回転連動させ、貯水チャンバの中の水を回転させ、放熱しやすく、同時に第一羽根が第一回転軸に連動して回転し送風することを特徴とする請求項１に記載の自動的に温度を下げるカップ。
【請求項３】
前記ベルト機構は前記第三チャンバと前記第一チャンバとの間に回転できるように設置される第三回転軸を含み、前記第三回転軸の一側の末端には前記第一傘歯車と噛み合う第五傘歯車が固定的に設置され、前記第三回転軸のもう一端には第六傘歯車が固定的に設置され、前記第三チャンバと前記ベルトチャンバとの間には第四回転軸が回転できるように設置され、前記第四回転軸の底端には前記第六傘歯車と噛合して設置される第七傘歯車が固定的に設置され、前記第四回転軸の頂端には第一プーリが固定的に設置され、前記ベルトチャンバの中には第二スプラインスリーブが回転できるように設置され、前記第二スプラインスリーブの外周には第二プーリが固定的に設置され、前記第二プーリと前記第一プーリとの間がベルトによって伝動できるように連結され、前記第二スプラインスリーブの中には第二スプライン軸がスプラインによって係合して連結され、前記第二スプライン軸の頂端には押えボードが固定的に設置され、前記第二スプライン軸の底端には矩形溝が設置され、第五傘歯車の回転によって、第三回転軸が第六傘歯車を回転連動させ、それにより第七傘歯車が第四回転軸を回転連動させ、それにより第一プーリを回転させ、それにより第一プーリが第二プーリを回転連動させて動力を扇風機機構に伝達させることを特徴とする請求項１に記載の自動的に温度を下げるカップ。
【請求項４】
前記扇風機機構は前記第二凹溝の底壁に回転できるように設置される矩形回転軸を含み、前記矩形回転軸の外周には第二羽根が固定的に設置され、前記第二凹溝の底壁には前記貯水チャンバと外部とを連通する第三抜き穴が設置され、前記蓋の底端にはフィルターが固定的に設置され、前記押えボードを押えるのによって第二スプライン軸を下へ移動させ、それにより矩形溝と矩形回転軸とを協働させ、それにより第二スプライン軸が矩形回転軸を回転連動させ、それにより第二羽根を回転放熱させることを特徴とする請求項１に記載の自動的に温度を下げるカップ。
【発明の詳細な説明】
【技術分野】
【０００１】
本発明はカップ技術分野を取り上げて、具体的には自動的に温度を下げるカップである。
【背景技術】
【０００２】
現在市場のカップの構造が簡単で、機能が単一で、夏に熱湯を飲む時、水が滾ったばかりですぐに飲めなく、水の温度を下げるのは長い時間もかかり、夏に水を飲むニーズを満足できなく、そのため、自動的に温度を下げるカップを設計する必要がある。
【先行技術文献】
【特許文献】
【０００３】
【特許文献１】中国特許出願公開第１０７６９２７４４号明細書
【発明の概要】
【発明が解決しようとする課題】
【０００４】
本発明の目的は自動的に温度を下げるカップを提供し、現有の技術の技術の上記欠点を克服できる。
【課題を解決するための手段】
【０００５】
本発明の実施例における自動的に温度を下げるカップは、主体と台座を含み、前記台座の中には保存チャンバが設置され、前記保存チャンバの前と後と右側が開くように設置され、前記保存チャンバの底壁には二組の第一凹溝が設置され、前記第一凹溝の中には温度下げ機構が設置され、前記第一凹溝の底部の前記台座の中には第一チャンバが設置され、二組の前記第一チャンバの間には第二チャンバが設置され、左側の前記第一チャンバの左側には第三チャンバが設置され、前記保存チャンバの頂壁の中にはベルトチャンバが設置され、前記ベルトチャンバの中にはベルト機構が設置され、前記主体の中には中間チャンバが設置され、前記中間チャンバの中には内カップが固定的に設置され、前記内カップの外周にはヒートシンクが固定的に設置され、前記中間チャンバの内壁には第一抜き穴が設置され、前記第一抜き穴が中間チャンバと外部とを連通し、前記第一抜き穴が放熱速度を上げられ、前記中間チャンバの底壁には二組の第二抜き穴が設置され、前記第二抜き穴と前記第一凹溝とが相対に設置され、前記内カップの中には貯水チャンバが設置され、前記主体の右端には固定ブロックが固定的に設置され、前記固定ブロックには固定ボードがヒンジで連結され、前記主体の頂端には蓋が設置され、前記蓋と前記固定ボードとが固定され、前記蓋の中には第二凹溝が設置され、前記第二凹溝の中には放熱を加速する扇風機機構が設置される。
【０００６】
更なる技術方案、前記温度下げ機構は前記第一凹溝と前記第一チャンバとの間に回転できるように設置される第一回転軸を含み、前記第一回転軸の頂端には第一羽根が固定的に設置され、左側に位置する前記第一回転軸の底端と左側の前記第一チャンバの底端の中に固定的に嵌っているモーターとが伝動できるように連結され、前記第一回転軸の外周には第一傘歯車が固定的に設置され、二組の前記第一チャンバの間には第二回転軸が回転できるように設置され、前記モーターの一端には前記第一傘歯車と噛合して設置される第二傘歯車が固定的に設置され、前記第二回転軸の外周には第三傘歯車が固定的に設置され、前記第二チャンバの頂壁の中には第一スプライン軸が回転できるように設置され、前記第一スプライン軸の底端には前記第三傘歯車と噛合して設置される第四傘歯車が固定的に設置され、前記貯水チャンバの底壁の中には第一スプラインスリーブが回転できるように設置され、前記第一スプラインスリーブの頂端には回転盤が固定的に設置され、前記回転盤の頂部端面には水の回転を加速する突起が設置され、前記第一スプラインスリーブと前記第一スプライン軸とはスプラインによって係合して連結されることができる；モーターを始動して回転させるのによって、第一回転軸を回転させ、それにより第一傘歯車が第二傘歯車を回転連動させ、それにより第二傘歯車がモーターを回転連動させ、第三傘歯車が第一スプライン軸を回転連動させ、それにより第一スプラインスリーブが回転盤を回転連動させ、貯水チャンバの中の水を回転させ、放熱しやすく、同時に第一羽根が第一回転軸に連動して回転し送風する。
【０００７】
更なる技術方案、前記ベルト機構は前記第三チャンバと前記第一チャンバとの間に回転できるように設置される第三回転軸を含み、前記第三回転軸の一側の末端には前記第一傘歯車と噛み合う第五傘歯車が固定的に設置され、前記第三回転軸のもう一端には第六傘歯車が固定的に設置され、前記第三チャンバと前記ベルトチャンバとの間には第四回転軸が回転できるように設置され、前記第四回転軸の底端には前記第六傘歯車と噛合して設置される第七傘歯車が固定的に設置され、前記第四回転軸の頂端には第一プーリが固定的に設置され、前記ベルトチャンバの中には第二スプラインスリーブが回転できるように設置され、前記第二スプラインスリーブの外周には第二プーリが固定的に設置され、前記第二プーリと前記第一プーリとの間がベルトによって伝動できるように連結され、前記第二スプラインスリーブの中には第二スプライン軸がスプラインによって係合して連結され、前記第二スプライン軸の頂端には押えボードが固定的に設置され、前記第二スプライン軸の底端には矩形溝が設置され、第五傘歯車の回転によって、第三回転軸が第六傘歯車を回転連動させ、それにより第七傘歯車が第四回転軸を回転連動させ、それにより第一プーリを回転させ、それにより第一プーリが第二プーリを回転連動させて動力を扇風機機構に伝達させる。
【０００８】
更なる技術方案、前記扇風機機構は前記第二凹溝の底壁に回転できるように設置される矩形回転軸を含み、前記矩形回転軸の外周には第二羽根が固定的に設置され、前記第二凹溝の底壁には前記貯水チャンバと外部とを連通する第三抜き穴が設置され、前記蓋の底端にはフィルターが固定的に設置され、前記押えボードを押えるのによって第二スプライン軸を下へ移動させ、それにより矩形溝と矩形回転軸とを協働させ、それにより第二スプライン軸が矩形回転軸を回転連動させ、それにより第二羽根を回転放熱させる。
【０００９】
使用する時、まずは蓋を主体にかぶせ、本発明の主体を保存チャンバの中に置き、第一スプライン軸を第一スプラインスリーブの中に差し込み、同時に押えボードを下へ押え、第二スプライン軸を下へ移動させ、それにより矩形溝と矩形回転軸とを協働させ、この時モーターを始動し、第一回転軸を回転させ、それにより第一傘歯車が第二傘歯車を回転連動させ、それにより第二傘歯車がモーターを回転連動させ、第三傘歯車が第一スプライン軸を回転連動させ、それにより第一スプラインスリーブが回転盤を回転連動させ、貯水チャンバの中の水を回転させ、放熱しやすく、同時に第一傘歯車が第五傘歯車に連動して回転送風し、放熱を加速し、同時に第一傘歯車が第五傘歯車を回転連動させ、それにより第三回転軸を回転させ、それにより第七傘歯車が第四回転軸を回転連動させ、それにより第一プーリを回転させ、それにより第一プーリが第二プーリを回転連動させ、第二プーリが第二スプライン軸を回転連動させ、それにより矩形軸を回転させ、矩形回転軸が第二羽根を回転連動させ、それにより貯水チャンバの中の水の放熱を加速できる。
【発明の効果】
【００１０】
本発明の有益な効果は下記の通りである：
【００１１】
伝統的なカップに比べ、本発明のカップは扇風機機構と温度下げ機構によって、水の放熱を加速でき、夏に熱湯を飲むのに便利を与える。
【図面の簡単な説明】
【００１２】
【図１】図１は本発明の自動的に温度を下げるカップの内部全体構成模式図
【図２】図２は本発明の図１のＡの局部拡大模式図
【図３】図３は本発明の図１のＢの局部拡大模式図
【図４】図４は本発明の蓋の上面図
【図５】図５は本発明の回転盤の上面図
【発明を実施するための形態】
【００１３】
以下は図１〜５について本発明にを詳しく説明し、その中、便利に叙述するように、現在は後文に出る方位を下記の通りに規定する：後文に出る上下左右前後方向は図１本体の投影関係の上下左右前後方向と一致する。
【００１４】
図１〜５を参考して、本発明の実施例における自動的に温度を下げるカップは、主体１０と台座２０を含み、前記台座２０の中には保存チャンバ１６が設置され、前記保存チャンバ１６の前と後と右側が開くように設置され、前記保存チャンバ１６の底壁には二組の第一凹溝４０が設置され、前記第一凹溝４０の中には温度下げ機構８２が設置され、前記第一凹溝４０の底部の前記台座２０の中には第一チャンバ４６が設置され、二組の前記第一チャンバ４６の間には第二チャンバ５１が設置され、左側の前記第一チャンバ４６の左側には第三チャンバ１２が設置され、前記保存チャンバ１６の頂壁の中にはベルトチャンバ２１が設置され、前記ベルトチャンバ２１の中にはベルト機構８１が設置され、前記主体１０の中には中間チャンバ３１が設置され、前記中間チャンバ３１の中には内カップ２６が固定的に設置され、前記内カップ２６の外周にはヒートシンク２８が固定的に設置され、前記中間チャンバ３１の内壁には第一抜き穴１５が設置され、前記第一抜き穴１５が中間チャンバ３１と外部とを連通し、前記第一抜き穴１５が放熱速度を上げられ、前記中間チャンバ３１の底壁には二組の第二抜き穴４１が設置され、前記第二抜き穴４１と前記第一凹溝４０とが相対に設置され、前記内カップ２６の中には貯水チャンバ２９が設置され、前記主体１０の右端には固定ブロック２４が固定的に設置され、前記固定ブロック２４には固定ボード２２がヒンジで連結され、前記主体１０の頂端には蓋５５が設置され、前記蓋５５と前記固定ボード２２とが固定され、前記蓋５５の中には第二凹溝５６が設置され、前記第二凹溝５６の中には放熱を加速する扇風機機構８０が設置される。
【００１５】
前記温度下げ機構８２は前記第一凹溝４０と前記第一チャンバ４６との間に回転できるように設置される第一回転軸５７を含み、前記第一回転軸５７の頂端には第一羽根４５が固定的に設置され、左側に位置する前記第一回転軸５７の底端と左側の前記第一チャンバ４６の底端の中に固定的に嵌っているモーター４８とが伝動できるように連結され、前記第一回転軸５７の外周には第一傘歯車５３が固定的に設置され、二組の前記第一チャンバ４６の間には第二回転軸５８が回転できるように設置され、前記モーター４８の一端には前記第一傘歯車５３と噛合して設置される第二傘歯車４９が固定的に設置され、前記第二回転軸５８の外周には第三傘歯車５０が固定的に設置され、前記第二チャンバ５１の頂壁の中には第一スプライン軸４４が回転できるように設置され、前記第一スプライン軸４４の底端には前記第三傘歯車５０と噛合して設置される第四傘歯車５２が固定的に設置され、前記貯水チャンバ２９の底壁の中には第一スプラインスリーブ４２が回転できるように設置され、前記第一スプラインスリーブ４２の頂端には回転盤３０が固定的に設置され、前記回転盤３０の頂部端面には水の回転を加速する突起６５が設置され、前記第一スプラインスリーブ４２と前記第一スプライン軸４４とはスプラインによって係合して連結されることができる；モーター４８を始動して回転させるのによって、第一回転軸５７を回転させ、それにより第一傘歯車５３が第二傘歯車４９を回転連動させ、それにより第二傘歯車４９がモーター４８を回転連動させ、第三傘歯車５０が第一スプライン軸４４を回転連動させ、それにより第一スプラインスリーブ４２が回転盤３０を回転連動させ、貯水チャンバ２９の中の水を回転させ、放熱しやすく、同時に第一羽根４５が第一回転軸５７に連動して回転し送風する。
【００１６】
前記ベルト機構８１は前記第三チャンバ１２と前記第一チャンバ４６との間に回転できるように設置される第三回転軸６１を含み、前記第三回転軸６１の一側の末端には前記第一傘歯車５３と噛み合う第五傘歯車４７が固定的に設置され、前記第三回転軸６１のもう一端には第六傘歯車１４が固定的に設置され、前記第三チャンバ１２と前記ベルトチャンバ２１との間には第四回転軸１１が回転できるように設置され、前記第四回転軸１１の底端には前記第六傘歯車１４と噛合して設置される第七傘歯車が固定的に設置され、前記第四回転軸１１の頂端には第一プーリ１８が固定的に設置され、前記ベルトチャンバ２１の中には第二スプラインスリーブ３３が回転できるように設置され、前記第二スプラインスリーブ３３の外周には第二プーリ３４が固定的に設置され、前記第二プーリ３４と前記第一プーリ１８との間がベルト１９によって伝動できるように連結され、前記第二スプラインスリーブ３３の中には第二スプライン軸３２がスプラインによって係合して連結され、前記第二スプライン軸３２の頂端には押えボード１７が固定的に設置され、前記第二スプライン軸３２の底端には矩形溝３５が設置され、第五傘歯車４７の回転によって、第三回転軸６１が第六傘歯車１４を回転連動させ、それにより第七傘歯車１３が第四回転軸１１を回転連動させ、それにより第一プーリ１８を回転させ、それにより第一プーリ１８が第二プーリ３４を回転連動させて動力を扇風機機構８０に伝達させる。
【００１７】
前記扇風機機構８０は前記第二凹溝５６の底壁に回転できるように設置される矩形回転軸３６を含み、前記矩形回転軸３６の外周には第二羽根３９が固定的に設置され、前記第二凹溝５６の底壁には前記貯水チャンバ２９と外部とを連通する第三抜き穴６０が設置され、前記蓋５５の底端にはフィルター３８が固定的に設置され、前記押えボード１７を押えるのによって第二スプライン軸３２を下へ移動させ、それにより矩形溝３５と矩形回転軸３６とを協働させ、それにより第二スプライン軸３２が矩形回転軸３６を回転連動させ、それにより第二羽根３９を回転放熱させる。
【００１８】
使用する時、まずは蓋５５を主体１０にかぶせ、本発明の主体１０を保存チャンバ１６の中に置き、第一スプライン軸４４を第一スプラインスリーブ４２の中に差し込み、同時に押えボード１７を下へ押え、第二スプライン軸３２を下へ移動させ、それにより矩形溝３５と矩形回転軸３６とを協働させ、この時モーター４８を始動し、第一回転軸５７を回転させ、それにより第一傘歯車５３が第二傘歯車４９を回転連動させ、それにより第二傘歯車４９がモーター４８を回転連動させ、第三傘歯車５０が第一スプライン軸４４を回転連動させ、それにより第一スプラインスリーブ４２が回転盤３０を回転連動させ、貯水チャンバ２９の中の水を回転させ、放熱しやすく、同時に第一傘歯車５３が第五傘歯車４７に連動して回転送風し、放熱を加速し、同時に第一傘歯車５３が第五傘歯車４７を回転連動させ、それにより第三回転軸６１を回転させ、それにより第七傘歯車１３が第四回転軸１１を回転連動させ、それにより第一プーリ１８を回転させ、それにより第一プーリ１８が第二プーリ３４を回転連動させ、第二プーリ３４が第二スプライン軸３２を回転連動させ、それにより矩形軸３６を回転させ、矩形回転軸３６が第二羽根３９を回転連動させ、それにより貯水チャンバ２９の中の水の放熱を加速できる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179094.tif 000003
【図２】
2020179094.tif 000004
【図３】
2020179094.tif 000005
【図４】
2020179094.tif 000006
【図５】
2020179094.tif 000007
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
自動的に温度を下げるカップであって、主体と台座を含み、前記台座の中には保存チャンバが設置され、前記保存チャンバの前と後と右側が開くように設置され、前記保存チャンバの底壁には二組の第一凹溝が設置され、前記第一凹溝の中には温度下げ機構が設置され、前記第一凹溝の底部の前記台座の中には第一チャンバが設置され、二組の前記第一チャンバの間には第二チャンバが設置され、左側の前記第一チャンバの左側には第三チャンバが設置され、前記保存チャンバの頂壁の中にはベルトチャンバが設置され、前記ベルトチャンバの中にはベルト機構が設置され、前記主体の中には中間チャンバが設置され、前記中間チャンバの中には内カップが固定的に設置され、前記内カップの外周にはヒートシンクが固定的に設置され、前記中間チャンバの内壁には第一抜き穴が設置され、前記第一抜き穴が中間チャンバと外部とを連通し、前記第一抜き穴が放熱速度を上げられ、前記中間チャンバの底壁には二組の第二抜き穴が設置され、前記第二抜き穴と前記第一凹溝とが相対に設置され、前記内カップの中には貯水チャンバが設置され、前記主体の右端には固定ブロックが固定的に設置され、前記固定ブロックには固定ボードがヒンジで連結され、前記主体の頂端には蓋が設置され、前記蓋と前記固定ボードとが固定され、前記蓋の中には第二凹溝が設置され、前記第二凹溝の中には放熱を加速する扇風機機構が設置されることを特徴とする自動的に温度を下げるカップ。
【請求項２】
前記温度下げ機構は前記第一凹溝と前記第一チャンバとの間に回転できるように設置される第一回転軸を含み、前記第一回転軸の頂端には第一羽根が固定的に設置され、左側に位置する前記第一回転軸の底端と左側の前記第一チャンバの底端の中に固定的に嵌っているモーターとが伝動できるように連結され、前記第一回転軸の外周には第一傘歯車が固定的に設置され、二組の前記第一チャンバの間には第二回転軸が回転できるように設置され、前記モーターの一端には前記第一傘歯車と噛合して設置される第二傘歯車が固定的に設置され、前記第二回転軸の外周には第三傘歯車が固定的に設置され、前記第二チャンバの頂壁の中には第一スプライン軸が回転できるように設置され、前記第一スプライン軸の底端には前記第三傘歯車と噛合して設置される第四傘歯車が固定的に設置され、前記貯水チャンバの底壁の中には第一スプラインスリーブが回転できるように設置され、前記第一スプラインスリーブの頂端には回転盤が固定的に設置され、前記回転盤の頂部端面には水の回転を加速する突起が設置され、前記第一スプラインスリーブと前記第一スプライン軸とはスプラインによって係合して連結され、モーターを始動して回転させるのによって、第一回転軸を回転させ、それにより第一傘歯車が第二傘歯車を回転連動させ、それにより第二傘歯車が第二回転軸を回転連動させ、第三傘歯車が第一スプライン軸を回転連動させ、それにより第一スプラインスリーブが回転盤を回転連動させ、貯水チャンバの中の水を回転させ、放熱しやすく、同時に第一羽根が第一回転軸に連動して回転し送風することを特徴とする請求項１に記載の自動的に温度を下げるカップ。
【請求項３】
前記ベルト機構は前記第三チャンバと前記第一チャンバとの間に回転できるように設置される第三回転軸を含み、前記第三回転軸の一側の末端には前記第一傘歯車と噛み合う第五傘歯車が固定的に設置され、前記第三回転軸のもう一端には第六傘歯車が固定的に設置され、前記第三チャンバと前記ベルトチャンバとの間には第四回転軸が回転できるように設置され、前記第四回転軸の底端には前記第六傘歯車と噛合して設置される第七傘歯車が固定的に設置され、前記第四回転軸の頂端には第一プーリが固定的に設置され、前記ベルトチャンバの中には第二スプラインスリーブが回転できるように設置され、前記第二スプラインスリーブの外周には第二プーリが固定的に設置され、前記第二プーリと前記第一プーリとの間がベルトによって伝動できるように連結され、前記第二スプラインスリーブの中には第二スプライン軸がスプラインによって係合して連結され、前記第二スプライン軸の頂端には押えボードが固定的に設置され、前記第二スプライン軸の底端には矩形溝が設置され、第五傘歯車の回転によって、第三回転軸が第六傘歯車を回転連動させ、それにより第七傘歯車が第四回転軸を回転連動させ、それにより第一プーリを回転させ、それにより第一プーリが第二プーリを回転連動させて動力を扇風機機構に伝達させることを特徴とする請求項２に記載自動的に温度を下げるカップ。
【請求項４】
前記扇風機機構は前記第二凹溝の底壁に回転できるように設置される矩形回転軸を含み、前記矩形回転軸の外周には第二羽根が固定的に設置され、前記第二凹溝の底壁には前記貯水チャンバと外部とを連通する第三抜き穴が設置され、前記蓋の底端にはフィルターが固定的に設置され、前記押えボードを押えるのによって第二スプライン軸を下へ移動させ、それにより矩形溝と矩形回転軸とを協働させ、それにより第二スプライン軸が矩形回転軸を回転連動させ、それにより第二羽根を回転放熱させることを特徴とする請求項３に記載の自動的に温度を下げるカップ。
【手続補正２】
【補正対象書類名】明細書
【補正対象項目名】全文
【補正方法】変更
【補正の内容】
【発明の詳細な説明】
【技術分野】
【０００１】
本発明はカップ技術分野を取り上げて、具体的には自動的に温度を下げるカップである。
【背景技術】
【０００２】
現在市場のカップの構造が簡単で、機能が単一で、夏に熱湯を飲む時、水が滾ったばかりですぐに飲めなく、水の温度を下げるのは長い時間もかかり、夏に水を飲むニーズを満足できなく、そのため、自動的に温度を下げるカップを設計する必要がある。
【先行技術文献】
【特許文献】
【０００３】
【特許文献１】中国特許出願公開第１０７６９２７４４号明細書
【発明の概要】
【発明が解決しようとする課題】
【０００４】
本発明の目的は自動的に温度を下げるカップを提供し、現有の技術の技術の上記欠点を克服できる。
【課題を解決するための手段】
【０００５】
本発明の実施例における自動的に温度を下げるカップは、主体と台座を含み、前記台座の中には保存チャンバが設置され、前記保存チャンバの前と後と右側が開くように設置され、前記保存チャンバの底壁には二組の第一凹溝が設置され、前記第一凹溝の中には温度下げ機構が設置され、前記第一凹溝の底部の前記台座の中には第一チャンバが設置され、二組の前記第一チャンバの間には第二チャンバが設置され、左側の前記第一チャンバの左側には第三チャンバが設置され、前記保存チャンバの頂壁の中にはベルトチャンバが設置され、前記ベルトチャンバの中にはベルト機構が設置され、前記主体の中には中間チャンバが設置され、前記中間チャンバの中には内カップが固定的に設置され、前記内カップの外周にはヒートシンクが固定的に設置され、前記中間チャンバの内壁には第一抜き穴が設置され、前記第一抜き穴が中間チャンバと外部とを連通し、前記第一抜き穴が放熱速度を上げられ、前記中間チャンバの底壁には二組の第二抜き穴が設置され、前記第二抜き穴と前記第一凹溝とが相対に設置され、前記内カップの中には貯水チャンバが設置され、前記主体の右端には固定ブロックが固定的に設置され、前記固定ブロックには固定ボードがヒンジで連結され、前記主体の頂端には蓋が設置され、前記蓋と前記固定ボードとが固定され、前記蓋の中には第二凹溝が設置され、前記第二凹溝の中には放熱を加速する扇風機機構が設置される。
【０００６】
更なる技術方案、前記温度下げ機構は前記第一凹溝と前記第一チャンバとの間に回転できるように設置される第一回転軸を含み、前記第一回転軸の頂端には第一羽根が固定的に設置され、左側に位置する前記第一回転軸の底端と左側の前記第一チャンバの底端の中に固定的に嵌っているモーターとが伝動できるように連結され、前記第一回転軸の外周には第一傘歯車が固定的に設置され、二組の前記第一チャンバの間には第二回転軸が回転できるように設置され、前記モーターの一端には前記第一傘歯車と噛合して設置される第二傘歯車が固定的に設置され、前記第二回転軸の外周には第三傘歯車が固定的に設置され、前記第二チャンバの頂壁の中には第一スプライン軸が回転できるように設置され、前記第一スプライン軸の底端には前記第三傘歯車と噛合して設置される第四傘歯車が固定的に設置され、前記貯水チャンバの底壁の中には第一スプラインスリーブが回転できるように設置され、前記第一スプラインスリーブの頂端には回転盤が固定的に設置され、前記回転盤の頂部端面には水の回転を加速する突起が設置され、前記第一スプラインスリーブと前記第一スプライン軸とはスプラインによって係合して連結され、モーターを始動して回転させるのによって、第一回転軸を回転させ、それにより第一傘歯車が第二傘歯車を回転連動させ、それにより第二傘歯車が第二回転軸を回転連動させ、第三傘歯車が第一スプライン軸を回転連動させ、それにより第一スプラインスリーブが回転盤を回転連動させ、貯水チャンバの中の水を回転させ、放熱しやすく、同時に第一羽根が第一回転軸に連動して回転し送風する。
【０００７】
更なる技術方案、前記ベルト機構は前記第三チャンバと前記第一チャンバとの間に回転できるように設置される第三回転軸を含み、前記第三回転軸の一側の末端には前記第一傘歯車と噛み合う第五傘歯車が固定的に設置され、前記第三回転軸のもう一端には第六傘歯車が固定的に設置され、前記第三チャンバと前記ベルトチャンバとの間には第四回転軸が回転できるように設置され、前記第四回転軸の底端には前記第六傘歯車と噛合して設置される第七傘歯車が固定的に設置され、前記第四回転軸の頂端には第一プーリが固定的に設置され、前記ベルトチャンバの中には第二スプラインスリーブが回転できるように設置され、前記第二スプラインスリーブの外周には第二プーリが固定的に設置され、前記第二プーリと前記第一プーリとの間がベルトによって伝動できるように連結され、前記第二スプラインスリーブの中には第二スプライン軸がスプラインによって係合して連結され、前記第二スプライン軸の頂端には押えボードが固定的に設置され、前記第二スプライン軸の底端には矩形溝が設置され、第五傘歯車の回転によって、第三回転軸が第六傘歯車を回転連動させ、それにより第七傘歯車が第四回転軸を回転連動させ、それにより第一プーリを回転させ、それにより第一プーリが第二プーリを回転連動させて動力を扇風機機構に伝達させる。
【０００８】
更なる技術方案、前記扇風機機構は前記第二凹溝の底壁に回転できるように設置される矩形回転軸を含み、前記矩形回転軸の外周には第二羽根が固定的に設置され、前記第二凹溝の底壁には前記貯水チャンバと外部とを連通する第三抜き穴が設置され、前記蓋の底端にはフィルターが固定的に設置され、前記押えボードを押えるのによって第二スプライン軸を下へ移動させ、それにより矩形溝と矩形回転軸とを協働させ、それにより第二スプライン軸が矩形回転軸を回転連動させ、それにより第二羽根を回転放熱させる。
【０００９】
使用する時、まずは蓋を主体にかぶせ、本発明の主体を保存チャンバの中に置き、第一スプライン軸を第一スプラインスリーブの中に差し込み、同時に押えボードを下へ押え、第二スプライン軸を下へ移動させ、それにより矩形溝と矩形回転軸とを協働させ、この時モーターを始動し、第一回転軸を回転させ、それにより第一傘歯車が第二傘歯車を回転連動させ、それにより第二傘歯車が第二回転軸を回転連動させ、第三傘歯車が第一スプライン軸を回転連動させ、それにより第一スプラインスリーブが回転盤を回転連動させ、貯水チャンバの中の水を回転させ、放熱しやすく、同時に第一傘歯車が第五傘歯車に連動して回転送風し、放熱を加速し、同時に第一傘歯車が第五傘歯車を回転連動させ、それにより第三回転軸を回転させ、それにより第七傘歯車が第四回転軸を回転連動させ、それにより第一プーリを回転させ、それにより第一プーリが第二プーリを回転連動させ、第二プーリが第二スプライン軸を回転連動させ、それにより矩形軸を回転させ、矩形回転軸が第二羽根を回転連動させ、それにより貯水チャンバの中の水の放熱を加速できる。
【発明の効果】
【００１０】
本発明の有益な効果は下記の通りである：
【００１１】
伝統的なカップに比べ、本発明のカップは扇風機機構と温度下げ機構によって、水の放熱を加速でき、夏に熱湯を飲むのに便利を与える。
【図面の簡単な説明】
【００１２】
【図１】図１は本発明の自動的に温度を下げるカップの内部全体構成模式図
【図２】図２は本発明の図１のＡの局部拡大模式図
【図３】図３は本発明の図１のＢの局部拡大模式図
【図４】図４は本発明の蓋の上面図
【図５】図５は本発明の回転盤の上面図
【発明を実施するための形態】
【００１３】
以下は図１〜５について本発明にを詳しく説明し、その中、便利に叙述するように、現在は後文に出る方位を下記の通りに規定する：後文に出る上下左右前後方向は図１本体の投影関係の上下左右前後方向と一致する。
【００１４】
図１〜５を参考して、本発明の実施例における自動的に温度を下げるカップは、主体１０と台座２０を含み、前記台座２０の中には保存チャンバ１６が設置され、前記保存チャンバ１６の前と後と右側が開くように設置され、前記保存チャンバ１６の底壁には二組の第一凹溝４０が設置され、前記第一凹溝４０の中には温度下げ機構８２が設置され、前記第一凹溝４０の底部の前記台座２０の中には第一チャンバ４６が設置され、二組の前記第一チャンバ４６の間には第二チャンバ５１が設置され、左側の前記第一チャンバ４６の左側には第三チャンバ１２が設置され、前記保存チャンバ１６の頂壁の中にはベルトチャンバ２１が設置され、前記ベルトチャンバ２１の中にはベルト機構８１が設置され、前記主体１０の中には中間チャンバ３１が設置され、前記中間チャンバ３１の中には内カップ２６が固定的に設置され、前記内カップ２６の外周にはヒートシンク２８が固定的に設置され、前記中間チャンバ３１の内壁には第一抜き穴１５が設置され、前記第一抜き穴１５が中間チャンバ３１と外部とを連通し、前記第一抜き穴１５が放熱速度を上げられ、前記中間チャンバ３１の底壁には二組の第二抜き穴４１が設置され、前記第二抜き穴４１と前記第一凹溝４０とが相対に設置され、前記内カップ２６の中には貯水チャンバ２９が設置され、前記主体１０の右端には固定ブロック２４が固定的に設置され、前記固定ブロック２４には固定ボード２２がヒンジで連結され、前記主体１０の頂端には蓋５５が設置され、前記蓋５５と前記固定ボード２２とが固定され、前記蓋５５の中には第二凹溝５６が設置され、前記第二凹溝５６の中には放熱を加速する扇風機機構８０が設置される。
【００１５】
前記温度下げ機構８２は前記第一凹溝４０と前記第一チャンバ４６との間に回転できるように設置される第一回転軸５７を含み、前記第一回転軸５７の頂端には第一羽根４５が固定的に設置され、左側に位置する前記第一回転軸５７の底端と左側の前記第一チャンバ４６の底端の中に固定的に嵌っているモーター４８とが伝動できるように連結され、前記第一回転軸５７の外周には第一傘歯車５３が固定的に設置され、二組の前記第一チャンバ４６の間には第二回転軸５８が回転できるように設置され、前記モーター４８の一端には前記第一傘歯車５３と噛合して設置される第二傘歯車４９が固定的に設置され、前記第二回転軸５８の外周には第三傘歯車５０が固定的に設置され、前記第二チャンバ５１の頂壁の中には第一スプライン軸４４が回転できるように設置され、前記第一スプライン軸４４の底端には前記第三傘歯車５０と噛合して設置される第四傘歯車５２が固定的に設置され、前記貯水チャンバ２９の底壁の中には第一スプラインスリーブ４２が回転できるように設置され、前記第一スプラインスリーブ４２の頂端には回転盤３０が固定的に設置され、前記回転盤３０の頂部端面には水の回転を加速する突起６５が設置され、前記第一スプラインスリーブ４２と前記第一スプライン軸４４とはスプラインによって係合して連結され、モーター４８を始動して回転させるのによって、第一回転軸５７を回転させ、それにより第一傘歯車５３が第二傘歯車４９を回転連動させ、それにより第二傘歯車４９が第二回転軸５８を回転連動させ、第三傘歯車５０が第一スプライン軸４４を回転連動させ、それにより第一スプラインスリーブ４２が回転盤３０を回転連動させ、貯水チャンバ２９の中の水を回転させ、放熱しやすく、同時に第一羽根４５が第一回転軸５７に連動して回転し送風する。
【００１６】
前記ベルト機構８１は前記第三チャンバ１２と前記第一チャンバ４６との間に回転できるように設置される第三回転軸６１を含み、前記第三回転軸６１の一側の末端には前記第一傘歯車５３と噛み合う第五傘歯車４７が固定的に設置され、前記第三回転軸６１のもう一端には第六傘歯車１４が固定的に設置され、前記第三チャンバ１２と前記ベルトチャンバ２１との間には第四回転軸１１が回転できるように設置され、前記第四回転軸１１の底端には前記第六傘歯車１４と噛合して設置される第七傘歯車が固定的に設置され、前記第四回転軸１１の頂端には第一プーリ１８が固定的に設置され、前記ベルトチャンバ２１の中には第二スプラインスリーブ３３が回転できるように設置され、前記第二スプラインスリーブ３３の外周には第二プーリ３４が固定的に設置され、前記第二プーリ３４と前記第一プーリ１８との間がベルト１９によって伝動できるように連結され、前記第二スプラインスリーブ３３の中には第二スプライン軸３２がスプラインによって係合して連結され、前記第二スプライン軸３２の頂端には押えボード１７が固定的に設置され、前記第二スプライン軸３２の底端には矩形溝３５が設置され、第五傘歯車４７の回転によって、第三回転軸６１が第六傘歯車１４を回転連動させ、それにより第七傘歯車１３が第四回転軸１１を回転連動させ、それにより第一プーリ１８を回転させ、それにより第一プーリ１８が第二プーリ３４を回転連動させて動力を扇風機機構８０に伝達させる。
【００１７】
前記扇風機機構８０は前記第二凹溝５６の底壁に回転できるように設置される矩形回転軸３６を含み、前記矩形回転軸３６の外周には第二羽根３９が固定的に設置され、前記第二凹溝５６の底壁には前記貯水チャンバ２９と外部とを連通する第三抜き穴６０が設置され、前記蓋５５の底端にはフィルター３８が固定的に設置され、前記押えボード１７を押えるのによって第二スプライン軸３２を下へ移動させ、それにより矩形溝３５と矩形回転軸３６とを協働させ、それにより第二スプライン軸３２が矩形回転軸３６を回転連動させ、それにより第二羽根３９を回転放熱させる。
【００１８】
使用する時、まずは蓋５５を主体１０にかぶせ、本発明の主体１０を保存チャンバ１６の中に置き、第一スプライン軸４４を第一スプラインスリーブ４２の中に差し込み、同時に押えボード１７を下へ押え、第二スプライン軸３２を下へ移動させ、それにより矩形溝３５と矩形回転軸３６とを協働させ、この時モーター４８を始動し、第一回転軸５７を回転させ、それにより第一傘歯車５３が第二傘歯車４９を回転連動させ、それにより第二傘歯車４９が第二回転軸５８を回転連動させ、第三傘歯車５０が第一スプライン軸４４を回転連動させ、それにより第一スプラインスリーブ４２が回転盤３０を回転連動させ、貯水チャンバ２９の中の水を回転させ、放熱しやすく、同時に第一傘歯車５３が第五傘歯車４７に連動して回転送風し、放熱を加速し、同時に第一傘歯車５３が第五傘歯車４７を回転連動させ、それにより第三回転軸６１を回転させ、それにより第七傘歯車１３が第四回転軸１１を回転連動させ、それにより第一プーリ１８を回転させ、それにより第一プーリ１８が第二プーリ３４を回転連動させ、第二プーリ３４が第二スプライン軸３２を回転連動させ、それにより矩形軸３６を回転させ、矩形回転軸３６が第二羽根３９を回転連動させ、それにより貯水チャンバ２９の中の水の放熱を加速できる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年3月20日(2020.3.20)
【手続補正１】
【補正対象書類名】特許請求の範囲
【補正対象項目名】全文
【補正方法】変更
【補正の内容】
【特許請求の範囲】
【請求項１】
自動的に温度を下げるカップであって、主体と台座を含み、前記台座の中には保存チャンバが設置され、前記保存チャンバの前と後と右側が開くように設置され、前記保存チャンバの底壁には二組の第一凹溝が設置され、前記第一凹溝の中には温度下げ機構が設置され、前記第一凹溝の底部の前記台座の中には第一チャンバが設置され、二組の前記第一チャンバの間には第二チャンバが設置され、左側の前記第一チャンバの左側には第三チャンバが設置され、前記保存チャンバの頂壁の中にはベルトチャンバが設置され、前記ベルトチャンバの中にはベルト機構が設置され、前記主体の中には中間チャンバが設置され、前記中間チャンバの中には内カップが固定的に設置され、前記内カップの外周にはヒートシンクが固定的に設置され、前記中間チャンバの内壁には第一抜き穴が設置され、前記第一抜き穴が中間チャンバと外部とを連通し、前記第一抜き穴が放熱速度を上げられ、前記中間チャンバの底壁には二組の第二抜き穴が設置され、前記第二抜き穴と前記第一凹溝とが相対に設置され、前記内カップの中には貯水チャンバが設置され、前記主体の右端には固定ブロックが固定的に設置され、前記固定ブロックには固定ボードがヒンジで連結され、前記主体の頂端には蓋が設置され、前記蓋と前記固定ボードとが固定され、前記蓋の中には第二凹溝が設置され、前記第二凹溝の中には放熱を加速する扇風機機構が設置されることを特徴とする自動的に温度を下げるカップ。
【請求項２】
前記温度下げ機構は前記第一凹溝と前記第一チャンバとの間に回転できるように設置される第一回転軸を含み、前記第一回転軸の頂端には第一羽根が固定的に設置され、左側に位置する前記第一回転軸の底端と左側の前記第一チャンバの底端の中に固定的に嵌っているモーターとが伝動できるように連結され、前記第一回転軸の外周には第一傘歯車が固定的に設置され、二組の前記第一チャンバの間には第二回転軸が回転できるように設置され、前記第二回転軸の一端には前記第一傘歯車と噛合して設置される第二傘歯車が固定的に設置され、前記第二回転軸の外周には第三傘歯車が固定的に設置され、前記第二チャンバの頂壁の中には第一スプライン軸が回転できるように設置され、前記第一スプライン軸の底端には前記第三傘歯車と噛合して設置される第四傘歯車が固定的に設置され、前記貯水チャンバの底壁の中には第一スプラインスリーブが回転できるように設置され、前記第一スプラインスリーブの頂端には回転盤が固定的に設置され、前記回転盤の頂部端面には水の回転を加速する突起が設置され、前記第一スプラインスリーブと前記第一スプライン軸とはスプラインによって係合して連結され、モーターを始動して回転させるのによって、第一回転軸を回転させ、それにより第一傘歯車が第二傘歯車を回転連動させ、それにより第二傘歯車が第二回転軸を回転連動させ、第三傘歯車が第一スプライン軸を回転連動させ、それにより第一スプラインスリーブが回転盤を回転連動させ、貯水チャンバの中の水を回転させ、放熱しやすく、同時に第一羽根が第一回転軸に連動して回転し送風することを特徴とする請求項１に記載の自動的に温度を下げるカップ。
【請求項３】
前記ベルト機構は前記第三チャンバと前記第一チャンバとの間に回転できるように設置される第三回転軸を含み、前記第三回転軸の一側の末端には前記第一傘歯車と噛み合う第五傘歯車が固定的に設置され、前記第三回転軸のもう一端には第六傘歯車が固定的に設置され、前記第三チャンバと前記ベルトチャンバとの間には第四回転軸が回転できるように設置され、前記第四回転軸の底端には前記第六傘歯車と噛合して設置される第七傘歯車が固定的に設置され、前記第四回転軸の頂端には第一プーリが固定的に設置され、前記ベルトチャンバの中には第二スプラインスリーブが回転できるように設置され、前記第二スプラインスリーブの外周には第二プーリが固定的に設置され、前記第二プーリと前記第一プーリとの間がベルトによって伝動できるように連結され、前記第二スプラインスリーブの中には第二スプライン軸がスプラインによって係合して連結され、前記第二スプライン軸の頂端には押えボードが固定的に設置され、前記第二スプライン軸の底端には矩形溝が設置され、第五傘歯車の回転によって、第三回転軸が第六傘歯車を回転連動させ、それにより第七傘歯車が第四回転軸を回転連動させ、それにより第一プーリを回転させ、それにより第一プーリが第二プーリを回転連動させて動力を扇風機機構に伝達させることを特徴とする請求項２に記載自動的に温度を下げるカップ。
【請求項４】
前記扇風機機構は前記第二凹溝の底壁に回転できるように設置される矩形回転軸を含み、前記矩形回転軸の外周には第二羽根が固定的に設置され、前記第二凹溝の底壁には前記貯水チャンバと外部とを連通する第三抜き穴が設置され、前記蓋の底端にはフィルターが固定的に設置され、前記押えボードを押えるのによって第二スプライン軸を下へ移動させ、それにより矩形溝と矩形回転軸とを協働させ、それにより第二スプライン軸が矩形回転軸を回転連動させ、それにより第二羽根を回転放熱させることを特徴とする請求項３に記載の自動的に温度を下げるカップ。
【手続補正２】
【補正対象書類名】明細書
【補正対象項目名】全文
【補正方法】変更
【補正の内容】
【発明の詳細な説明】
【技術分野】
【０００１】
本発明はカップ技術分野を取り上げて、具体的には自動的に温度を下げるカップである。
【背景技術】
【０００２】
現在市場のカップの構造が簡単で、機能が単一で、夏に熱湯を飲む時、水が滾ったばかりですぐに飲めなく、水の温度を下げるのは長い時間もかかり、夏に水を飲むニーズを満足できなく、そのため、自動的に温度を下げるカップを設計する必要がある。
【先行技術文献】
【特許文献】
【０００３】
【特許文献１】中国特許出願公開第１０７６９２７４４号明細書
【発明の概要】
【発明が解決しようとする課題】
【０００４】
本発明の目的は自動的に温度を下げるカップを提供し、現有の技術の技術の上記欠点を克服できる。
【課題を解決するための手段】
【０００５】
本発明の実施例における自動的に温度を下げるカップは、主体と台座を含み、前記台座の中には保存チャンバが設置され、前記保存チャンバの前と後と右側が開くように設置され、前記保存チャンバの底壁には二組の第一凹溝が設置され、前記第一凹溝の中には温度下げ機構が設置され、前記第一凹溝の底部の前記台座の中には第一チャンバが設置され、二組の前記第一チャンバの間には第二チャンバが設置され、左側の前記第一チャンバの左側には第三チャンバが設置され、前記保存チャンバの頂壁の中にはベルトチャンバが設置され、前記ベルトチャンバの中にはベルト機構が設置され、前記主体の中には中間チャンバが設置され、前記中間チャンバの中には内カップが固定的に設置され、前記内カップの外周にはヒートシンクが固定的に設置され、前記中間チャンバの内壁には第一抜き穴が設置され、前記第一抜き穴が中間チャンバと外部とを連通し、前記第一抜き穴が放熱速度を上げられ、前記中間チャンバの底壁には二組の第二抜き穴が設置され、前記第二抜き穴と前記第一凹溝とが相対に設置され、前記内カップの中には貯水チャンバが設置され、前記主体の右端には固定ブロックが固定的に設置され、前記固定ブロックには固定ボードがヒンジで連結され、前記主体の頂端には蓋が設置され、前記蓋と前記固定ボードとが固定され、前記蓋の中には第二凹溝が設置され、前記第二凹溝の中には放熱を加速する扇風機機構が設置される。
【０００６】
更なる技術方案、前記温度下げ機構は前記第一凹溝と前記第一チャンバとの間に回転できるように設置される第一回転軸を含み、前記第一回転軸の頂端には第一羽根が固定的に設置され、左側に位置する前記第一回転軸の底端と左側の前記第一チャンバの底端の中に固定的に嵌っているモーターとが伝動できるように連結され、前記第一回転軸の外周には第一傘歯車が固定的に設置され、二組の前記第一チャンバの間には第二回転軸が回転できるように設置され、前記第二回転軸の一端には前記第一傘歯車と噛合して設置される第二傘歯車が固定的に設置され、前記第二回転軸の外周には第三傘歯車が固定的に設置され、前記第二チャンバの頂壁の中には第一スプライン軸が回転できるように設置され、前記第一スプライン軸の底端には前記第三傘歯車と噛合して設置される第四傘歯車が固定的に設置され、前記貯水チャンバの底壁の中には第一スプラインスリーブが回転できるように設置され、前記第一スプラインスリーブの頂端には回転盤が固定的に設置され、前記回転盤の頂部端面には水の回転を加速する突起が設置され、前記第一スプラインスリーブと前記第一スプライン軸とはスプラインによって係合して連結され、モーターを始動して回転させるのによって、第一回転軸を回転させ、それにより第一傘歯車が第二傘歯車を回転連動させ、それにより第二傘歯車が第二回転軸を回転連動させ、第三傘歯車が第一スプライン軸を回転連動させ、それにより第一スプラインスリーブが回転盤を回転連動させ、貯水チャンバの中の水を回転させ、放熱しやすく、同時に第一羽根が第一回転軸に連動して回転し送風する。
【０００７】
更なる技術方案、前記ベルト機構は前記第三チャンバと前記第一チャンバとの間に回転できるように設置される第三回転軸を含み、前記第三回転軸の一側の末端には前記第一傘歯車と噛み合う第五傘歯車が固定的に設置され、前記第三回転軸のもう一端には第六傘歯車が固定的に設置され、前記第三チャンバと前記ベルトチャンバとの間には第四回転軸が回転できるように設置され、前記第四回転軸の底端には前記第六傘歯車と噛合して設置される第七傘歯車が固定的に設置され、前記第四回転軸の頂端には第一プーリが固定的に設置され、前記ベルトチャンバの中には第二スプラインスリーブが回転できるように設置され、前記第二スプラインスリーブの外周には第二プーリが固定的に設置され、前記第二プーリと前記第一プーリとの間がベルトによって伝動できるように連結され、前記第二スプラインスリーブの中には第二スプライン軸がスプラインによって係合して連結され、前記第二スプライン軸の頂端には押えボードが固定的に設置され、前記第二スプライン軸の底端には矩形溝が設置され、第五傘歯車の回転によって、第三回転軸が第六傘歯車を回転連動させ、それにより第七傘歯車が第四回転軸を回転連動させ、それにより第一プーリを回転させ、それにより第一プーリが第二プーリを回転連動させて動力を扇風機機構に伝達させる。
【０００８】
更なる技術方案、前記扇風機機構は前記第二凹溝の底壁に回転できるように設置される矩形回転軸を含み、前記矩形回転軸の外周には第二羽根が固定的に設置され、前記第二凹溝の底壁には前記貯水チャンバと外部とを連通する第三抜き穴が設置され、前記蓋の底端にはフィルターが固定的に設置され、前記押えボードを押えるのによって第二スプライン軸を下へ移動させ、それにより矩形溝と矩形回転軸とを協働させ、それにより第二スプライン軸が矩形回転軸を回転連動させ、それにより第二羽根を回転放熱させる。
【０００９】
使用する時、まずは蓋を主体にかぶせ、本発明の主体を保存チャンバの中に置き、第一スプライン軸を第一スプラインスリーブの中に差し込み、同時に押えボードを下へ押え、第二スプライン軸を下へ移動させ、それにより矩形溝と矩形回転軸とを協働させ、この時モーターを始動し、第一回転軸を回転させ、それにより第一傘歯車が第二傘歯車を回転連動させ、それにより第二傘歯車が第二回転軸を回転連動させ、第三傘歯車が第一スプライン軸を回転連動させ、それにより第一スプラインスリーブが回転盤を回転連動させ、貯水チャンバの中の水を回転させ、放熱しやすく、同時に第一傘歯車が第五傘歯車に連動して回転送風し、放熱を加速し、同時に第一傘歯車が第五傘歯車を回転連動させ、それにより第三回転軸を回転させ、それにより第七傘歯車が第四回転軸を回転連動させ、それにより第一プーリを回転させ、それにより第一プーリが第二プーリを回転連動させ、第二プーリが第二スプライン軸を回転連動させ、それにより矩形軸を回転させ、矩形回転軸が第二羽根を回転連動させ、それにより貯水チャンバの中の水の放熱を加速できる。
【発明の効果】
【００１０】
本発明の有益な効果は下記の通りである：
【００１１】
伝統的なカップに比べ、本発明のカップは扇風機機構と温度下げ機構によって、水の放熱を加速でき、夏に熱湯を飲むのに便利を与える。
【図面の簡単な説明】
【００１２】
【図１】図１は本発明の自動的に温度を下げるカップの内部全体構成模式図
【図２】図２は本発明の図１のＡの局部拡大模式図
【図３】図３は本発明の図１のＢの局部拡大模式図
【図４】図４は本発明の蓋の上面図
【図５】図５は本発明の回転盤の上面図
【発明を実施するための形態】
【００１３】
以下は図１〜５について本発明にを詳しく説明し、その中、便利に叙述するように、現在は後文に出る方位を下記の通りに規定する：後文に出る上下左右前後方向は図１本体の投影関係の上下左右前後方向と一致する。
【００１４】
図１〜５を参考して、本発明の実施例における自動的に温度を下げるカップは、主体１０と台座２０を含み、前記台座２０の中には保存チャンバ１６が設置され、前記保存チャンバ１６の前と後と右側が開くように設置され、前記保存チャンバ１６の底壁には二組の第一凹溝４０が設置され、前記第一凹溝４０の中には温度下げ機構８２が設置され、前記第一凹溝４０の底部の前記台座２０の中には第一チャンバ４６が設置され、二組の前記第一チャンバ４６の間には第二チャンバ５１が設置され、左側の前記第一チャンバ４６の左側には第三チャンバ１２が設置され、前記保存チャンバ１６の頂壁の中にはベルトチャンバ２１が設置され、前記ベルトチャンバ２１の中にはベルト機構８１が設置され、前記主体１０の中には中間チャンバ３１が設置され、前記中間チャンバ３１の中には内カップ２６が固定的に設置され、前記内カップ２６の外周にはヒートシンク２８が固定的に設置され、前記中間チャンバ３１の内壁には第一抜き穴１５が設置され、前記第一抜き穴１５が中間チャンバ３１と外部とを連通し、前記第一抜き穴１５が放熱速度を上げられ、前記中間チャンバ３１の底壁には二組の第二抜き穴４１が設置され、前記第二抜き穴４１と前記第一凹溝４０とが相対に設置され、前記内カップ２６の中には貯水チャンバ２９が設置され、前記主体１０の右端には固定ブロック２４が固定的に設置され、前記固定ブロック２４には固定ボード２２がヒンジで連結され、前記主体１０の頂端には蓋５５が設置され、前記蓋５５と前記固定ボード２２とが固定され、前記蓋５５の中には第二凹溝５６が設置され、前記第二凹溝５６の中には放熱を加速する扇風機機構８０が設置される。
【００１５】
前記温度下げ機構８２は前記第一凹溝４０と前記第一チャンバ４６との間に回転できるように設置される第一回転軸５７を含み、前記第一回転軸５７の頂端には第一羽根４５が固定的に設置され、左側に位置する前記第一回転軸５７の底端と左側の前記第一チャンバ４６の底端の中に固定的に嵌っているモーター４８とが伝動できるように連結され、前記第一回転軸５７の外周には第一傘歯車５３が固定的に設置され、二組の前記第一チャンバ４６の間には第二回転軸５８が回転できるように設置され、前記第二回転軸５８の一端には前記第一傘歯車５３と噛合して設置される第二傘歯車４９が固定的に設置され、前記第二回転軸５８の外周には第三傘歯車５０が固定的に設置され、前記第二チャンバ５１の頂壁の中には第一スプライン軸４４が回転できるように設置され、前記第一スプライン軸４４の底端には前記第三傘歯車５０と噛合して設置される第四傘歯車５２が固定的に設置され、前記貯水チャンバ２９の底壁の中には第一スプラインスリーブ４２が回転できるように設置され、前記第一スプラインスリーブ４２の頂端には回転盤３０が固定的に設置され、前記回転盤３０の頂部端面には水の回転を加速する突起６５が設置され、前記第一スプラインスリーブ４２と前記第一スプライン軸４４とはスプラインによって係合して連結され、モーター４８を始動して回転させるのによって、第一回転軸５７を回転させ、それにより第一傘歯車５３が第二傘歯車４９を回転連動させ、それにより第二傘歯車４９が第二回転軸５８を回転連動させ、第三傘歯車５０が第一スプライン軸４４を回転連動させ、それにより第一スプラインスリーブ４２が回転盤３０を回転連動させ、貯水チャンバ２９の中の水を回転させ、放熱しやすく、同時に第一羽根４５が第一回転軸５７に連動して回転し送風する。
【００１６】
前記ベルト機構８１は前記第三チャンバ１２と前記第一チャンバ４６との間に回転できるように設置される第三回転軸６１を含み、前記第三回転軸６１の一側の末端には前記第一傘歯車５３と噛み合う第五傘歯車４７が固定的に設置され、前記第三回転軸６１のもう一端には第六傘歯車１４が固定的に設置され、前記第三チャンバ１２と前記ベルトチャンバ２１との間には第四回転軸１１が回転できるように設置され、前記第四回転軸１１の底端には前記第六傘歯車１４と噛合して設置される第七傘歯車が固定的に設置され、前記第四回転軸１１の頂端には第一プーリ１８が固定的に設置され、前記ベルトチャンバ２１の中には第二スプラインスリーブ３３が回転できるように設置され、前記第二スプラインスリーブ３３の外周には第二プーリ３４が固定的に設置され、前記第二プーリ３４と前記第一プーリ１８との間がベルト１９によって伝動できるように連結され、前記第二スプラインスリーブ３３の中には第二スプライン軸３２がスプラインによって係合して連結され、前記第二スプライン軸３２の頂端には押えボード１７が固定的に設置され、前記第二スプライン軸３２の底端には矩形溝３５が設置され、第五傘歯車４７の回転によって、第三回転軸６１が第六傘歯車１４を回転連動させ、それにより第七傘歯車１３が第四回転軸１１を回転連動させ、それにより第一プーリ１８を回転させ、それにより第一プーリ１８が第二プーリ３４を回転連動させて動力を扇風機機構８０に伝達させる。
【００１７】
前記扇風機機構８０は前記第二凹溝５６の底壁に回転できるように設置される矩形回転軸３６を含み、前記矩形回転軸３６の外周には第二羽根３９が固定的に設置され、前記第二凹溝５６の底壁には前記貯水チャンバ２９と外部とを連通する第三抜き穴６０が設置され、前記蓋５５の底端にはフィルター３８が固定的に設置され、前記押えボード１７を押えるのによって第二スプライン軸３２を下へ移動させ、それにより矩形溝３５と矩形回転軸３６とを協働させ、それにより第二スプライン軸３２が矩形回転軸３６を回転連動させ、それにより第二羽根３９を回転放熱させる。
【００１８】
使用する時、まずは蓋５５を主体１０にかぶせ、本発明の主体１０を保存チャンバ１６の中に置き、第一スプライン軸４４を第一スプラインスリーブ４２の中に差し込み、同時に押えボード１７を下へ押え、第二スプライン軸３２を下へ移動させ、それにより矩形溝３５と矩形回転軸３６とを協働させ、この時モーター４８を始動し、第一回転軸５７を回転させ、それにより第一傘歯車５３が第二傘歯車４９を回転連動させ、それにより第二傘歯車４９が第二回転軸５８を回転連動させ、第三傘歯車５０が第一スプライン軸４４を回転連動させ、それにより第一スプラインスリーブ４２が回転盤３０を回転連動させ、貯水チャンバ２９の中の水を回転させ、放熱しやすく、同時に第一傘歯車５３が第五傘歯車４７に連動して回転送風し、放熱を加速し、同時に第一傘歯車５３が第五傘歯車４７を回転連動させ、それにより第三回転軸６１を回転させ、それにより第七傘歯車１３が第四回転軸１１を回転連動させ、それにより第一プーリ１８を回転させ、それにより第一プーリ１８が第二プーリ３４を回転連動させ、第二プーリ３４が第二スプライン軸３２を回転連動させ、それにより矩形軸３６を回転させ、矩形回転軸３６が第二羽根３９を回転連動させ、それにより貯水チャンバ２９の中の水の放熱を加速できる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。